(57)【要約】【課題】遮水シートに雨水が溜まりにくい廃棄物の被覆構造体を提供する。【解決手段】被覆構造体１は複数のパレット１０により構成され、複数のパレット１０のうちの少なくとも１つのパレット１０により構成されて雨水を外方に案内する排水勾配３Ａを備える。【選択図】図１
2016085109.tif 000002
【特許請求の範囲】
【請求項１】
複数のパレットにより構成され、
前記複数のパレットのうちの少なくとも１つのパレットにより構成されて雨水を外方に案内する排水勾配を備える
廃棄物の被覆構造体。
【請求項２】
前記複数のパレットのうちの少なくとも２つのパレットの内部にまたがって配置される骨組み部材をさらに備える
請求項１に記載の廃棄物の被覆構造体。
【請求項３】
前記パレット同士を連結する結束バンドをさらに備える
請求項１または２に記載の廃棄物の被覆構造体。
【発明の詳細な説明】
【技術分野】
【０００１】
本発明は、廃棄物の被覆構造体に関する。
【背景技術】
【０００２】
従来、除染作業により回収された土および植物等の放射性廃棄物は例えば、円柱形状のバッグに詰められ、居住地域から十分離れた距離に設置された仮置き場で所定の期間管理された後、中間貯蔵施設を経て、最終処分場に運ばれる。放射性廃棄物が屋外の仮置き場で管理される場合、放射性廃棄物が雨水により濡れるのを防ぐために、バッグに遮水シートが被せられる。しかし、放射性廃棄物に含まれる有機物が腐敗してバッグが変形することによりバッグの上面に窪みが形成されることがある。バッグに窪みが形成されると、バッグに被せられている遮水シートにも窪みが形成され、この遮水シートの窪みに雨水が溜まる。このため、雨水の重みにより遮水シートが引っ張られ、遮水シートの継ぎ目の部分が剥がれ、そこから雨水がバッグに浸透するおそれがある。
【０００３】
特許文献１はこのような課題を解決する廃棄物の被覆構造体を開示している。この被覆構造体は放射性廃棄物が詰められたバッグの上面に載せられる直方体の網目状構造物であり、この網目上構造物の上に遮水シートが被せられる。バッグと遮水シートとの間に網目状構造物が配置されているため、有機物の腐敗によりバッグの上面に窪みが形成されても遮水シートに窪みが形成されにくく、雨水が溜まりにくい。
【先行技術文献】
【特許文献】
【０００４】
【特許文献１】特開２０１４−１６３６５号公報
【発明の概要】
【発明が解決しようとする課題】
【０００５】
しかし、例えば降水量が多いとき等は雨水の重みにより網目状構造物が撓み、遮水シートに窪みが形成され、雨水が溜まるおそれがある。なお、放射性廃棄物に限らず他の廃棄物に用いられる被覆構造体についても上記と同様の課題が生じると考えられる。
【０００６】
本発明の目的は、遮水シートに雨水が溜まりにくい廃棄物の被覆構造体を提供することである。
【課題を解決するための手段】
【０００７】
上記の目的を達成するための廃棄物の被覆構造体は、複数のパレットにより構成され、前記複数のパレットのうちの少なくとも１つのパレットにより構成されて雨水を外方に案内する排水勾配を備える。
【０００８】
本廃棄物の被覆構造体によれば、被覆構造体に被せられた遮水シート上の雨水が排水勾配に沿って外方に流れる。これにより、バッグ内の廃棄物が腐敗してバッグが変形した場合であっても被覆構造体が雨水の重みにより変形しにくく、遮水シートに窪みが形成されにくい。このため、遮水シートに雨水が溜まりにくい。
【０００９】
さらに、本廃棄物の被覆構造体は、複数のパレットにより構成されているため、作業者がパレットを持ち運ぶことが簡単で、作業を行いやすい。
上記の目的を達成するための廃棄物の被覆構造体は、前記複数のパレットのうちの少なくとも２つのパレットの内部にまたがって配置される骨組み部材をさらに備える。
【００１０】
本廃棄物の被覆構造体によれば、パレットの内部に骨組み部材が配置されているため、剛性が高められ変形しにくい。このため、遮水シートにより一層窪みが形成されにくく、雨水が溜まりにくい。
【００１１】
上記の目的を達成するための廃棄物の被覆構造体は、前記パレット同士を連結する結束バンドをさらに備える。
本廃棄物の被覆構造体によれば、パレット同士が結束バンドにより連結されているため、被覆構造体が分離しにくい。このため、排水勾配の形状が維持されやすい。
【発明の効果】
【００１２】
本廃棄物の被覆構造体によれば、遮水シートに雨水が溜まりにくい。
【図面の簡単な説明】
【００１３】
【図１】実施形態の被覆構造体の正面図。
【図２】図１のパレットの斜視図。
【図３】図１の被覆構造体の平面図。
【図４】図３の尾根部の平面図。
【図５】図４の尾根部が載せられた放射性廃棄物の正面図。
【図６】図３の屋根部の平面図。
【図７】図４の被覆構造体の尾根部に図６の屋根部が組み付けられている最中の被覆構造体の平面図。
【図８】図１の被覆構造体および遮水シートが載せられた放射性廃棄物の正面図。
【発明を実施するための形態】
【００１４】
図１を参照して、被覆構造体１の構成について説明する。
被覆構造体１は屋根形状であり、複数のパレット１０のうちの隣り合うパレット１０同士が結束バンド３０により互いに連結されることにより構成されている。被覆構造体１は頂上部分である尾根部２、および、尾根部２と連結されている一対の屋根部３を備え、一対の屋根部３には被覆構造体１の外方に向かうにつれて下方に傾斜する排水勾配３Ａが形成されている。排水勾配３Ａは屋根部３を構成する各パレット１０の上面１１により形成され、雨水を外方に案内する。また、複数のパレット１０の内部には骨組み部材の一例としての複数の金属管２０が配置されている。
【００１５】
図１および図２を参照して、パレット１０の構成について説明する。
被覆構造体１を構成するパレット１０は例えば、中空の直方体形状であり、合成樹脂材料により形成されている。パレット１０の上面１１および下面１２には隣り合うパレット１０同士を連結する結束バンド３０が挿入される複数の連結孔１３が形成されている。パレット１０の４つの側面１４には金属管２０が挿入される管挿入孔１５がそれぞれ２つ形成されている。
【００１６】
図１および図３を参照して、被覆構造体１の詳細な構成について説明する。
図３に示されるように、尾根部２のパレット１０の内部には複数の金属管２０が配置されている。尾根部２の長手方向に配置されている金属管２０の端部同士はクランプ装置（図示略）により連結されている。なお、尾根部２においては、金属管２０が一例として４つのパレット１０の内部にまたがり２本ずつ配置されている。
【００１７】
尾根部２の複数のパレット１０のうちの隣り合うパレット１０は上面１１および下面１２の連結孔１３に挿入された結束バンド３０により互いに連結されている。
屋根部３のうちの尾根部２の長手方向と直交する方向に並べられているパレット１０の内部には複数の金属管２０が配置されている。屋根部３の中で、尾根部２の長手方向と直交する方向に並べられているパレット１０のうちの最も外側（尾根部２の端部側）に配置されているパレット１０には、金属管２０が一例として３つのパレット１０の内部にまたがり２本ずつ配置されている。屋根部３において、尾根部２の長手方向と直交する方向に配置されている金属管２０の端部同士はクランプ装置（図示略）により連結されている。
【００１８】
尾根部２の長手方向と直交する方向に並べられているパレット１０のうちの最も外側に配置されているパレット１０よりも内側に配置されているパレット１０には、金属管２０が一例として３つのパレット１０の内部にまたがり１本ずつ配置されている。尾根部２の長手方向と直交する方向に配置されている金属管２０の端部同士はクランプ装置（図示略）により連結されている。
【００１９】
また、屋根部３のパレット１０のうちの尾根部２の隣りに配置されるパレット１０の内部に配置されている金属管２０の先端は、尾根部２のパレット１０の管挿入孔１５（図２参照）に挿入されている。なお、屋根部３の複数のパレット１０のうちの隣り合うパレット１０は上面１１の連結孔１３に挿入された結束バンド３０により、互いに連結されている。さらに、パレット１０と金属管２０とは結束バンド３０により連結されている。
【００２０】
図４〜図７を参照して、被覆構造体１の製造工程について説明する。
被覆構造体１の製造工程は一例として、第１の工程〜第４の工程を含む。被覆構造体１はパレット１０ごとに分離した状態で屋外に設けられた放射性廃棄物の仮置き場に運搬される。
【００２１】
図４に示されるように、第１の工程においては、尾根部２を構成するパレット１０が４つ並べられ、管挿入孔１５（図２参照）からパレット１０の内部に２本の金属管２０が挿入される。そして、パレット１０の内部に挿入された２本の金属管２０の端部と別の２本の金属管２０の端部とがクランプ装置（図示略）により連結された後、この別の２本の金属管２０に別の４つのパレット１０が挿入される。以上の作業が繰り返されて尾根部２が完成する。その後、尾根部２のパレット１０のうちの隣り合うパレット１０の上面１１および下面１２（図２参照）の連結孔１３に結束バンド３０が挿入されて隣り合うパレット１０同士が互いに連結される。
【００２２】
図５に示されるように、第２の工程においては、完成した尾根部２が例えばクレーン（図示略）により持ち上げられて、放射性廃棄物が詰められたバッグ５０の上に載せられる。なお、仮置き場においては、地面の上に敷かれた遮水シート４０の上に可燃性の放射性廃棄物が収容されたバッグ５０が３段積まれ、中央に不燃性の放射性廃棄物が収容されたバッグ５０が４段積まれている。尾根部２は中央の４段目のバッグ５０の上に載せられる。なお、中央の不燃性の放射性廃棄物は例えば土であり、年月が経過しても腐敗することがないため、バッグ５０の上面に窪みが生じない。このため、尾根部２が傾いたり窪んだりすることが抑制される。
【００２３】
図６に示されるように、第３の工程においては、屋根部３を構成するパレット１０が４つ並べられ、管挿入孔１５（図２参照）からパレット１０の内部に１本の金属管２０が挿入される。そして、パレット１０の内部に挿入された１本の金属管２０の端部と別の１本の金属管２０の端部とがクランプ装置（図示略）により連結された後、この別の１本の金属管２０に別の４つのパレット１０が挿入される。以上の作業が繰り返されることにより屋根部３を構成する一つのユニットが完成する。その後、屋根部３の一つのユニットのうちの隣り合うパレット１０の上面１１および下面１２（図１参照）の連結孔１３に結束バンド３０が挿入されて隣り合うパレット１０同士が互いに連結される。以上の手順により、第３の工程においては、屋根部３を構成する複数のユニットが製造される。
【００２４】
図７に示されるように、第４の工程においては、第３の工程で製造された屋根部３を構成する各ユニットがクレーンにより持ち上げられ、金属管２０の先端が尾根部２のパレット１０の管挿入孔１５（図１参照）に挿入される。第４の工程においては第３の工程において製造された屋根部３を構成する全てのユニットの金属管２０の先端がパレット１０の管挿入孔１５に挿入された後、屋根部３の隣り合うパレット１０同士が上面１１で結束バンド３０により互いに連結される。なお、図８に示されるように、被覆構造体１がバッグ５０に載せられた後、４段目のバッグ５０の横側に土嚢６０が配置され、４段目のバッグ５０および土嚢６０により被覆構造体１が支持される。
【００２５】
図８を参照して、被覆構造体１の作用および効果について説明する。
屋外の放射性廃棄物の仮置き場においては、バッグ５０の上に載せられた被覆構造体１に作業者により遮水シート７０が被せられて放射性廃棄物が管理される。被覆構造体１の屋根部３には排水勾配３Ａが形成されているため、遮水シート７０上の雨水が排水勾配３Ａに沿って外方に流れる。これにより、被覆構造体１が雨水の重みにより変形しにくく、遮水シート７０に窪みが形成されにくい。このため、遮水シート７０に雨水が溜まりにくい。また、屋根部３の端部がバッグ５０を積み重ねた山の外周よりも内側に配置されているため、遮水シート７０とバッグ５０の側面との間の隙間が広くなりにくく、遮水シート７０とバッグ５０との間に無駄な空間が形成されにくい。
【００２６】
被覆構造体１によれば、さらに以下の効果が得られる。
（１）被覆構造体１は、複数のパレット１０により構成されているため、作業者がパレット１０を持ち運ぶことが簡単で、作業を行いやすい。
【００２７】
（２）パレット１０の内部に金属管２０が配置されているため、剛性が高められ変形しにくい。このため、遮水シート７０により一層窪みが形成されにくく、遮水シート７０に雨水が溜まりにくい。
【００２８】
（３）パレット１０同士が結束バンド３０により連結されているため、被覆構造体１が分離しにくい。このため、排水勾配３Ａの形状が維持されやすい。
（４）パレット１０の内部に金属管２０が配置されていることにより剛性が高められているため、作業者が被覆構造体１に遮水シート７０を被せる際に足元が安定し、作業を行いやすい。
【００２９】
（５）遮水シート７０に雨水が溜まりにくいため、遮水シート７０の上面に草が生えにくい。このため、草の根により遮水シート７０が傷つけられることが抑制される。
なお、上記実施形態は、以下のように変更してもよい。また、以下の各変更例は、技術的に矛盾しない範囲において互いに組み合わせることもできる。
【００３０】
・  尾根部２を省略し、一対の屋根部３同士を連結してもよい。
・  隣り合うパレット１０以外のパレット１０同士を結束バンド３０により連結してもよい。
【００３１】
・  尾根部２のパレット１０の内部に１つ〜３つ、または、５つ以上のパレット１０にまたがって金属管２０を配置してもよい。また、尾根部２のパレット１０の内部に配置される金属管２０の本数は任意の本数を選択することができる。
【００３２】
・  屋根部３のパレット１０の内部に１つ、２つ、または、４つ以上のパレット１０にまたがって金属管２０を配置してもよい。また、屋根部３のパレット１０の内部に配置される金属管２０の本数は任意の本数を選択することができる。
【００３３】
・  パレット１０の上面１１の連結孔１３のみに結束バンド３０を挿入する、または、パレット１０の下面１２の連結孔１３のみに結束バンド３０を挿入することにより、隣り合うパレット１０同士を連結してもよい。
【００３４】
・  金属管２０に代えて、または、加えて、パレット１０の内部に骨組み部材として塩化ビニル等の合成樹脂を材料とする管を配置してもよい、または、木製や樹脂製の中実の棒を配置してもよい。
【００３５】
・  一対の屋根部３のうちの一方を省略してもよい。
・  パレット１０の側面１４のうちの一対の対向する側面１４の管挿入孔１５を省略してもよい。すなわち、パレット１０はいわゆる四方差しパレットまたは二方差しパレットでもよい。
【００３６】
・  パレット１０の形状は特に限定されず、また、金属または木等の合成樹脂以外の材料により形成されるものでもよい。
・  パレット１０の上面１１および下面１２の少なくとも一方の連結孔１３を省略して、ベタ面を形成することもできる。
【００３７】
・  パレット１０は片面使用パレット、両面使用パレット、または、スキットパレットであってもよい。
・  遮水シート７０として、通気性を有するシート、または、通気性を有さないシートを用いることができる。遮水シート７０として通気性を有するシートを用いた場合には、放射性廃棄物から発生したガスが遮水シート７０を介して外部に放出される。一方、遮水シート７０として通気性を有さないシートを用いた場合には、放射性廃棄物から発生したガスが遮水シート７０を介して外部に放出されないため、ガス抜き管を配置することが好ましい。
【００３８】
・  被覆構造体１を放射性廃棄物以外の廃棄物を覆う用途で使用してもよい。
【符号の説明】
【００３９】
１…被覆構造体、３Ａ…排水勾配、１０…パレット、２０…金属管（骨組み部材）、３０…結束バンド。
【図１】
2016085109.tif 000003
【図２】
2016085109.tif 000004
【図３】
2016085109.tif 000005
【図４】
2016085109.tif 000006
【図５】
2016085109.tif 000007
【図６】
2016085109.tif 000008
【図７】
2016085109.tif 000009
【図８】
2016085109.tif 000010